(57)【要約】【課題】表示検査のための準備作業を大幅に削減する。【解決手段】表示装置１０は、表示パネル１１と、表示パネル１１を駆動するソースドライバ１２およびゲートドライバ１３とを備えるとともに、表示検査の手順を示す検査シーケンスおよび表示検査で表示する検査用パターンを含む検査プログラム１６ａを格納した不揮発性メモリ１６と、外部から入力された検査制御信号に基づき、検査シーケンスに従って検査用パターンを表示パネル１１に表示するように、ソースドライバ１２およびゲートドライバ１３を制御するコントロール部１２ａとを具備する。これにより、表示装置１０の不揮発性メモリ１６に検査シーケンスおよび検査用パターンが格納されているため、モデルごとに検査装置を準備し、モデルに合わせた検査シーケンスおよび検査用パターンをそれぞれの検査装置に格納するという煩雑で大掛かりな作業が不要となる。【選択図】  図１
2004219585.tif 000002
【特許請求の範囲】
【請求項１】
表示手段と、該表示手段を駆動する駆動手段とを備えた表示装置であって、
表示検査の手順を示す検査シーケンスおよび表示検査で表示する検査用パターンを格納した不揮発性記憶手段と、
外部から入力された検査制御信号に基づき、上記不揮発性記憶手段から検査シーケンスおよび検査用パターンを読み出し、検査シーケンスに従って検査用パターンを上記表示手段に表示するように、上記駆動手段を制御するインターフェイス手段と、を具備することを特徴とする表示装置。
【請求項２】
上記検査制御信号としてパルス信号を受信するテスト端子を備えるとともに、
上記インターフェイス手段が、上記パルス信号に応じて、上記検査シーケンスを進行させるものであることを特徴とする請求項１に記載の表示装置。
【請求項３】
上記不揮発性記憶手段が、検査コマンドと実行コードとが対応づけられた検査コマンドリストをさらに格納するとともに、
上記インターフェイス手段が、上記検査制御信号に含まれる検査コマンドに対応する実行コードを上記検査コマンドリストに基づき特定し、当該実行コードに従って、上記検査シーケンスを進行させるものであることを特徴とする請求項１に記載の表示装置。
【請求項４】
請求項２に記載の表示装置に、上記テスト端子を介してパルス信号を入力するものであることを特徴とする検査装置。
【請求項５】
請求項３に記載の表示装置に、上記検査コマンドを含む検査制御信号を入力するものであることを特徴とする検査装置。
【請求項６】
請求項１から３のいずれか１項に記載の表示装置に搭載された上記不揮発性記憶手段であることを特徴とする記録媒体。
【発明の詳細な説明】
【０００１】
【発明の属する技術分野】
本発明は、液晶表示装置等の表示装置に関し、さらに詳しくは、表示検査の内容がモデルごとに異なる表示装置、および、そのための検査装置に関するものである。
【０００２】
【従来の技術】
携帯電話用の液晶表示装置などのコマンドインターフェイスを備えた表示装置の表示検査では、コマンド体系がユーザごとに異なるなどの理由により、検査用の信号源装置が複数必要である。また、表示する検査用パターンもユーザごとに異なるなどの理由により、検査装置の制御用プログラムも複数用意しなければならない。
【０００３】
図１０に示すように、従来の液晶表示装置７０は、表示パネル７１を有するとともに、この表示パネル７１を駆動するために、ソースドライバ７２およびゲートドライバ７３を備えている。さらに、ソースドライバ７２には、データコントロール部７７およびＲＡＭ７４が一体に設けられており、ドライバ出力部が構成されている。なお、データコントロール部７７は、ソースドライバ７２とは別になっている場合もある。
【０００４】
また、液晶表示装置７０では、ＥＥＰＲＯＭ等の不揮発性メモリ７５に、表示パネル７１を駆動するための設定値等が格納されている。そして、データコントロール部７７は、不揮発性メモリ７５のデータをＲＡＭ７４に読み込んで使用する。
【０００５】
液晶表示装置７０は、表示検査の際、入力信号端子７６を介してデータコントロール部７７が信号源装置８０と接続される。一方、信号源装置８０では、検査対象である液晶表示装置７０に適した検査シーケンスおよび検査用パターンが、あらかじめ記憶装置８２に格納されている。そして、表示検査の際、制御用マイコン８１が検査シーケンスおよび検査用パターンを記憶装置８２から読み出し、表示信号を生成して、これを液晶表示装置７０のデータコントロール部７７に入力信号端子７６を介して供給する。これにより、信号源装置８０からの指示に基づき、検査シーケンスに従ってソースドライバ７２およびゲートドライバ７３が駆動されて、検査用パターンが表示パネル７１に表示される。なお、表示検査の際、液晶表示装置７０は、信号源装置８０の電源８３から駆動用の電力供給を受ける。
【０００６】
なお、本願発明に関連する先行技術文献としては、次の特許文献１、２がある。
【０００７】
【特許文献１】
特開平９−２３０３１３号公報（公開日：１９９７年９月５日）
【０００８】
【特許文献２】
特開平５−３４１７４８号公報（公開日：１９９３年１２月２４日）
【０００９】
【発明が解決しようとする課題】
しかしながら、上記従来の構造では、検査シーケンスおよび検査用パターンが信号源装置８０の記憶装置８２に格納されていたため、液晶表示装置７０のモデルに合わせた検査シーケンスおよび検査用パターンを準備し、それを記憶装置８２に格納する作業が、モデルごとに必要であった。また、信号源装置８０の回路も複雑なものであった。
【００１０】
そのため、携帯電話などのモデル数が多い液晶表示装置を表示検査する場合、検査シーケンスおよび検査用パターンの複雑なデータを多数準備し、それらを多数の信号源装置に格納するという煩雑で大掛かりな作業が必要であった。
【００１１】
本発明は、上記の問題点を解決するためになされたもので、その目的は、表示検査のための準備作業を大幅に削減することができる表示装置、および、その検査装置を提供することにある。
【００１２】
【課題を解決するための手段】
上記の課題を解決するために、本発明の表示装置は、表示手段と、該表示手段を駆動する駆動手段とを備えた表示装置であって、表示検査の手順を示す検査シーケンスおよび表示検査で表示する検査用パターンを格納した不揮発性記憶手段と、外部から入力された検査制御信号に基づき、上記不揮発性記憶手段から検査シーケンスおよび検査用パターンを読み出し、検査シーケンスに従って検査用パターンを上記表示手段に表示するように、上記駆動手段を制御するインターフェイス手段と、を具備することを特徴としている。
【００１３】
上記の構成により、検査対象である表示装置は、表示モードの切り替えなどの表示検査の手順を示す検査シーケンス、および、検査用の表示パターンを格納した不揮発性記憶手段（例えば、ＥＥＰＲＯＭ）を搭載している。そして、インターフェイス手段が、外部の検査装置から入力された検査制御信号に基づき、不揮発性記憶手段から検査シーケンスおよび検査用パターンを読み出し、検査シーケンスに従って検査用パターンを表示手段に表示するように、駆動手段を制御する。
【００１４】
これにより、表示装置に内蔵した検査シーケンスおよび検査用パターンを用いて表示検査を行うことが可能となる。よって、従来のように、検査シーケンスおよび検査用パターンを検査装置に内蔵する必要がない。
【００１５】
したがって、モデル数の多い表示装置を表示検査する場合であっても、モデルごとに検査装置と、モデルに合わせた検査シーケンスおよび検査用パターンの複雑なデータとを準備し、それぞれデータを検査装置に格納するという煩雑で大掛かりな作業が不要となる。すなわち、表示検査のための準備作業を大幅に削減することが可能となる。
【００１６】
なお、検査シーケンスおよび検査用パターンは、１つの検査プログラムにまとめて不揮発性記憶手段に格納することもできる。また、検査用パターンについては、最小単位（例えば、２×２）の画像情報を不揮発性記憶手段に格納し、その画像情報を縦・横に繰り返して表示すれば、不揮発性記憶手段の容量を小さくできる。
【００１７】
さらに、本発明の表示装置は、上記検査制御信号として、通常の入力信号端子とは別にテスト用信号（例えば、パルス信号）を受信するテスト端子を備えるとともに、上記インターフェイス手段が、上記パルス信号に応じて、上記検査シーケンスを進行させる構成も考えられる。
【００１８】
上記の構成により、さらに、表示装置にテスト端子を設け、検査装置からテスト端子を介してパルス信号を入力することによって、表示検査の検査シーケンスを制御することが可能となる。
【００１９】
よって、検査装置は、検査シーケンスおよび検査用パターンを格納するための記憶装置が必要でなく、パルス信号を出力する端子のみを備えていればよいため、簡単な構造で実現できる。すなわち、表示検査に複雑な検査装置を必要としない。
【００２０】
さらに、本発明の表示装置は、上記不揮発性記憶手段が、検査コマンドと実行コードとが対応づけられた検査コマンドリストをさらに格納するとともに、上記インターフェイス手段が、上記検査制御信号に含まれる検査コマンドに対応する実行コードを上記検査コマンドリストに基づき特定し、当該実行に従って、上記検査シーケンスを進行させるものであることを特徴としている。
【００２１】
また、本発明の検査装置は、上記の表示装置に、上記検査コマンドを含む検査制御信号を入力するものであることを特徴としている。
【００２２】
上記の構成により、さらに、表示装置に検査コマンドリストを内蔵し、検査装置から検査コマンドを含む検査制御信号を入力することによって、表示検査の検査シーケンスを制御することが可能となる。
【００２３】
よって、検査装置は、検査シーケンスおよび検査用パターンを格納するための記憶装置が必要でなく、検査コマンドを含む検査制御信号を出力する機能を備えていればよいため、簡単な構造で実現できる。すなわち、表示検査に複雑な検査装置を必要としない。
【００２４】
また、本発明の記録媒体は、上記表示装置に搭載された不揮発性記憶手段であることを特徴としている。
【００２５】
上記の構成により、上記表示装置を実現することが可能となる。
【００２６】
【発明の実施の形態】
〔実施の形態１〕
本発明の一実施の形態について図１から図６に基づいて説明すれば、以下のとおりである。
【００２７】
図１に示すように、本実施の形態に係る表示装置１０は、液晶等の表示パネル（表示手段）１１を有しているとともに、この表示パネル１１を駆動するためにソースドライバ（列電極駆動回路）１２およびゲートドライバ（行電極駆動回路、駆動手段）１３を備えている。また、表示装置１０は、不揮発性メモリ（不揮発性記憶手段）１６を備えている。
【００２８】
さらに、表示装置１０では、ソースドライバ１２が、コントロール部１２ａ、ＲＡＭデータ入力ポート（画像データ書き込み手段）１２ｂ、ＲＡＭ（ｒａｎｄｏｍ−ａｃｃｅｓｓ  ｍｅｍｏｒｙ）１２ｃ、ＲＡＭデータ出力ポート（画像データ読み出し手段）１２ｄ、列電極駆動部（駆動手段）１２ｅを備えている。なお、コントロール部１２ａ、ＲＡＭデータ入力ポート１２ｂ、ＲＡＭ１２ｃ、ＲＡＭデータ出力ポート１２ｄが、インターフェイス手段に相当する。
【００２９】
コントロール部１２ａは、表示パネル１１の列電極（図示せず）を駆動する列電極駆動部１２ｅと、ＲＡＭデータ入力ポート１２ｂ、ＲＡＭ１２ｃ、ＲＡＭデータ出力ポート１２ｄを介して接続されている。ＲＡＭ１２ｃは、ＲＡＭデータ入力ポート１２ｂおよびＲＡＭデータ出力ポート１２ｄと接続されており、これによってデータの書き込み・読み出しが行われる。また、コントロール部１２ａは、表示パネル１１の行電極（図示せず）を駆動するゲートドライバ１３と接続されている。また、コントロール部１２ａおよびＲＡＭデータ入力ポート１２ｂは、不揮発性メモリ１６と接続されている。なお、図１では、コントロール部１２ａおよびＲＡＭ１２ｃは、ソースドライバ１２に内蔵されているが、外付けでもよい。
【００３０】
不揮発性メモリ１６には、表示検査のための検査プログラム１６ａが格納されている。表示装置１０では、検査プログラム１６ａが、表示検査の手順を示す検査シーケンスと、表示検査で表示する画像情報を示す検査用パターンとを含み、それらが一体として１つのメモリ領域に格納されている。しかし、上記検査シーケンスおよび上記検査用パターンは、それぞれ独立に別個のメモリ領域に格納されていてもよい。
【００３１】
また、図１では図示していないが、ソースドライバ１２およびゲートドライバ１３は、表示パネル１１の周縁部に配設されている。また、不揮発性メモリ１６は、別基板に搭載され、ソースドライバ１２のコントロール部１２ａおよびＲＡＭデータ入力ポート１２ｂに接続されている。なお、不揮発性メモリ１６を搭載した基板には、不揮発性メモリ１６の他、電源ＩＣや各種受動部品等が実装されていてもよい。
【００３２】
上記検査装置２０は、制御用マイコン２１を備えており、この制御用マイコン２１から表示検査のための検査制御信号を表示装置１０へ送信する。検査装置２０は、テスト端子１８が別途設けられている場合は、これを介して、検査プログラム１６ａを実行するためのパルス信号を供給する。また、図１では図示しないが、表示検査の際、検査装置２０の電源２２から、表示装置１０の駆動用の電力を供給できる。なお、信号入力端子１７には、通常表示の時には表示データが入力される。
【００３３】
なお、表示装置１０の不揮発性メモリ１６に検査シーケンスおよび検査用パターンを含む検査プログラム１６ａが格納されているため、検査装置２０は、従来のＭＰＵを含む信号源装置８０（図１０）のような複雑な回路を必要としない。
【００３４】
ここで、ＲＡＭ１２ｃは、ＲＡＭデータ入力ポート１２ｂを介してデータが格納される。ＲＡＭデータ入力ポート１２ｂは、通常、ｎビット（例えば、８，９，１６ビット）単位×ｎ個で構成されており、所定のデータがそろって書き込まれた時点で、まとめてＲＡＭ１２ｃに書き込む。通常、ＩＣの様々な設計制約により、ＲＡＭの入力ポート数は変わるが、以下では、動作の理解を容易にするために、ＲＡＭ１２ｃが１ライン（行）分のポートを持っているものとして説明する。
【００３５】
このように、通常の描画用データは、コントロール部１２ａが検査用の表示パターンを制御することで、不揮発性メモリ１６からＲＡＭデータ入力ポート１２ｂに送られる。
【００３６】
コントロール部１２ａは、テスト端子１８から検査制御信号の入力を検知すると、通常モードから検査モードへ表示モードを切り替える。これにより、表示装置１０は、通常表示の通常モードと検査用パターンを表示する検査モードとの間で表示モードを切り替えることができる。
【００３７】
また、コントロール部１２ａは、表示検査の際、検査装置２０からテスト端子１８を介して入力された検査制御信号に従って、検査プログラム１６ａを不揮発性メモリ１６から読み込み、検査プログラム１６ａで指定された画像データを生成してＲＡＭデータ入力ポート１２ｂを介してＲＡＭ１２ｃに書き込む。
【００３８】
そして、ＲＡＭデータ出力ポート１２ｄは、列電極駆動部１２ｅに接続されており、ＲＡＭ１２ｃに書き込まれた画像データを列電極駆動部１２ｅおよびゲートドライバ１３のタイミングに従って読み出し、供給する。これにより、表示装置１０では、表示パネル１１に、通常モードの通常表示と、検査モードの検査用パターンとを表示することができる。
【００３９】
なお、表示装置１０は、モデルの仕様に応じた通常モード、例えば低消費電力化のために色数を減らした表示モード等を、追加して備えていてもよい。
【００４０】
上記不揮発性メモリ１６は、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ＲＯＭ）で構成できる。不揮発性メモリ１６には、表示装置１０の表示検査の手順を示す検査シーケンスと、表示検査で表示する画像情報を示す検査用パターンとが、検査プログラム１６ａとして格納されている。なお、不揮発性メモリ１６には、検査プログラム１６ａに加えて、例えば通常モードでの設定値等の表示パネル１１を駆動するためのデータを、他のデータ１６ｂとして格納することができる。なお、他のデータ１６ｂの内容およびデータ量は、表示装置１０の機種ごとに異なる。
【００４１】
検査プログラム１６ａは、不揮発性メモリ１６からコントロール部１２ａに転送され、ＲＡＭデータ入力ポート１２ｂへ書き込まれる。検査プログラム１６ａには、検査用パターンがコマンドとして組み込まれている。検査用パターンは、最小単位の画像情報であり、表示検査時には繰り返してＲＡＭデータ入力ポート１２ｂに書き込まれることで、横方向の繰り返しパターンが生成される。それらのデータを繰り返して書き込むことで、縦方向にも繰り返したパターンをＲＡＭ１２ｃに生成することができる。
【００４２】
以上のように、表示装置１０は、コントロール部１２ａが、検査装置２０からの指示に従い、検査プログラム１６ａに基づいてＲＡＭデータ入力ポート１２ｂを介してＲＡＭ１２ａに書き込んだ画像データを、ＲＡＭデータ出力ポート１２ｄが読み出し、列電極駆動部１２ｅに供給する。また、ゲートドライバ１３へはコントロール部１２ａから制御信号を直接供給する。その結果、表示装置１０は、表示パネル１１の行電極および列電極を駆動して検査用パターンを表示し、表示検査ができるようになっている。
【００４３】
特に、ソースドライバ１２は、ＲＡＭデータ入力ポート１２ｂと、その他の全て（ＲＡＭ１２ｃ、不揮発性メモリ１６、ゲートドライバ１３等）をコントロールするコントロール部１２ａとを備えている。ＲＡＭデータ入力ポート１２ｂは、１ライン分のラインメモリである。通常の画面表示時は、入力バス（入力信号端子１７）からのデータを随時ラッチし、データが揃った時点でＲＡＭ１２ｃにデータを一括して転送・書き込みを行う。これに対し、検査パターン表示時は、入力バスからのデータの代わりに、コントロール部１２ａが不揮発性メモリ１６から最小単位の画像データを読み込み、それらを繰り返し、ＲＡＭデータ入力ポート１２ｂに書き込むことで、横方向にパターンの複製を行う。また、ＲＡＭデータ入力ポート１２ｂのデータを変えずに、ＲＡＭ１２ｃへ書き込むアドレスをインクリメントすることで、縦方向にパターンの複製を行う。なお、コントロール部１２ａは、入力ビット数×ｎ（ｎは任意）で構成されており、実際の動作はもう少し複雑である。
【００４４】
図２は、検査プログラム１６ａの一例である。図２に示すように、この検査プログラム１６ａは、８つのステップで構成されている。そして、この検査プログラム１６ａは、テスト端子１８から入力されるパルス信号に応じて、アドレスを１から８までインクリメントすることにより実行される。
【００４５】
１つのステップは、１つのコマンドよりなり、実行順序に応じてアドレスが割り当てられている。１つのコマンドには、フラグおよびデータが記述される。フラグはデータに記述されているコマンドの内容の種別を示す。例えば、フラグが”００”ならば「表示モードの切り替え」等、”１０”ならば「パターン繰り返し回数の指定」、”０１”ならば「検査用パターンの指定」が、データ領域に格納されている。なお、データ領域にはプログラムコードの実体が格納されている。
【００４６】
例えば、アドレス１の「モジュール初期化」コマンドでは、電源投入→ディジタル回路部動作スタート→内部アナログ回路動作スタート、の処理を行う。また、アドレス２，６の「表示モードの切り替え」コマンドでは、「全体表示モード」と「パーシャル表示モード」との切り替えを行う。なお、「全体表示モード」、「パーシャル表示モード」については後述する。
【００４７】
つづいて、表示検査時の動作について説明する。なお、テスト端子１８は、端子Ｔｅｓｔ１，Ｔｅｓｔ２を含むものとする。
【００４８】
表示装置１０の表示検査は、コントロール部１２ａが、テスト端子１８を介して入力された検査装置２０からの検査制御信号（パルス信号）を検知することにより開始される。そして、検査プログラム１６ａが不揮発性メモリ１６からコントロール部１２ａにステップごとに読み込まれる。一方、検査用表示データは、ＲＡＭデータ入力ポート１２ｂに入力される。テスト端子１８から入力されるパルス信号に応じて検査プログラム１６ａのコードが逐次実行される。
【００４９】
具体的には、コントロール部１２ａは、端子Ｔｅｓｔ１に「Ｈ」が入力されると、表示検査モードに入り、その後、端子Ｔｅｓｔ２に「Ｈ」がパルス入力されるごとに、検査プログラム１６ａのアドレスをインクリメントして、ソースドライバ１２へ信号を供給する。すなわち、端子Ｔｅｓｔ２へのパルス入力に応じて、不揮発性メモリ１６に格納されている検査プログラム１６ａを読み込むアドレスをインクリメントして、検査シーケンスを進める。
【００５０】
図３は、図２に示した検査プログラム１６ａによる処理動作を示すフローチャートである。コントロール部１２ａは、ステップごとにコマンドを読み込み、処理して、ソースドライバ１２およびゲートドライバ１３を制御することにより、以下の処理を行う。
【００５１】
まず、モジュールを初期化する（Ｓ１１）。次に、全体表示モードに入る（Ｓ１２）。全体表示モードでは、検査用パターンの繰り返し回数を読み込み（Ｓ１３）、検査用パターンを表示パネル１１全体に表示する（Ｓ１４）。このとき、全画面に「赤」（図４（ａ））を表示した後、「チェッカー」（図４（ｂ））を表示する。
【００５２】
次に、パーシャル表示モードに入る（Ｓ１５）。パーシャル表示モードでは、検査用パターンの繰り返し回数を読み込み（Ｓ１６）、検査用パターンを表示パネル１１の一部に表示する（Ｓ１７）。このとき、画面の一部に「赤」（図４（ｃ））を表示する。
【００５３】
ここで、表示装置１０の検査モードには、「全体表示モード」と「パーシャル表示モード」がある。「全体表示モード」は、表示パネル１１の全体に検査用パターンを表示するモードである。「パーシャル表示モード」は、消費電力を抑える表示であり、例えば携帯電話用の表示パネル１１であればアンテナや時計のアイコンなど最小限度の表示を行う。なお、表示装置１０では、コントロール部１２ａは、１パルスの入力で１画面分の画像データをＲＡＭ１２ｃに書き込む。なお、図４に示した表示パネル１１のサイズは一般的な携帯電話の例である。
【００５４】
また、図５は、検査プログラム１６ａにおける検査用パターンのコマンドの記述例である。図５のアドレス０１０が図２のアドレス３，８に相当し、図５のアドレス１０１が図２のアドレス５に相当する。この例では、コマンドのデータ領域には、検査用パターンの描画範囲と、その描画範囲の各画素の色情報とが記述されている。
【００５５】
すなわち、図６に示すように、表示装置１０では、表示パネル１１の解像度がＸ×Ｙである場合、最小画像情報（例えば、２×２）を１単位としてこれを横に（Ｘ／Ａ）回繰り返し、縦に（Ｙ／Ｂ）回繰り返すことで、全画面の表示を可能としている。そして、上記の最小画像情報が２×２の場合であれば、４マスとも同色の表示（赤、緑、青、白、黒）や、チェッカーあるいは１ラインごとの縦／横ストライプ表示が可能である。
【００５６】
このように、表示装置１０は、不揮発性メモリ１６に検査シーケンスと検査用パターンの画像情報とを含む検査プログラム１６ａを内蔵するため、モデル数の多いモジュールで必要だった大掛かりな多数の検査装置２０の準備や、複雑な数多くの検査プログラムが不要となる。
【００５７】
また、表示装置１０は、検査用パターンの画像情報として、最小単位（１×１、あるいは、２×２等）の画像情報を保存しておき、それを縦・横に繰り返し表示するため、不揮発性メモリ１６の容量を小さくすることができる。
【００５８】
なお、以上では、不揮発性メモリ１６に１つの検査プログラム１６ａを格納する場合について説明したが、複数の検査プログラムを格納し、外部から実行する検査プログラムを指定することも可能である。具体的には、検査プログラムの選択用に別途端子数を設けるか、信号線を増やさないのであれば、テスト端子１８を用いてシリアル通信で転送してもよい。これによって、各種の表示検査が必要となる生産工程においても、複数の検査プログラムを切り替えて、複数の検査シーケンスを使い分けることが可能となる。
【００５９】
〔実施の形態２〕
本発明の他の実施の形態について、図７から図９、および図２から図６に基づいて説明すれば、以下のとおりである。なお、説明の便宜上、前記の実施の形態１において示した部材と同一の機能を有する部材には、同一の符号を付し、その説明を省略することがある。また、実施の形態１において定義した用語については、特に断らない限り本実施の形態においてもその定義に則って用いるものとする。
【００６０】
また、本実施の形態に係る表示装置３０は、実施の形態１（図１）で説明した表示装置１０のコントロール部１２ａおよび不揮発性メモリ１６の代わりに、インターフェイス部（インターフェイス手段）３４および不揮発性メモリ３６を設けた構成である。よって、インターフェイス部３４および不揮発性メモリ３６についても、実施の形態１との相違点を中心に説明する。
【００６１】
図７に示すように、上記表示装置３０は、液晶等の表示パネル１１を有しているとともに、この表示パネル１１を駆動するためにソースドライバ（列電極駆動回路）１２′およびゲートドライバ（行電極駆動回路）１３を備えている。
【００６２】
ソースドライバ１２′は、インターフェイス部３４を介して、不揮発性メモリ３６および外部の検査装置４０と接続されている。不揮発性メモリ３６には、表示検査のための検査コマンドリスト３６ａおよび検査プログラム３６ｂが格納されている。これにより、表示装置３０は、検査装置４０からの指示に従い、検査コマンドリスト３６ａおよび検査プログラム３６ｂに基づいて、検査用パターンを表示するように表示パネル１１の電極を駆動して表示検査ができるようになっている。
【００６３】
なお、表示装置３０では、検査装置４０から入力されたコマンドを特定するための参照テーブルが検査コマンドリスト３６ａに格納されている。また、検査プログラム３６ｂが、検査プログラム１６ａ（図１）と同様に、表示検査の手順を示す検査シーケンスと、表示検査で表示する画像情報を示す検査用パターンとを含み、それらが一体として１つのメモリ領域に格納されている。また、上記検査コマンドリスト３６ａおよび上記検査プログラム３６ｂは、それぞれ独立に別個のメモリ領域に格納されていてもよい。
【００６４】
また、図７では図示していないが、ソースドライバ１２′およびゲートドライバ１３は、表示パネル１１の周縁部に配設されている。また、インターフェイス部３４および不揮発性メモリ３６は、別基板に搭載され、ソースドライバ１２′に接続されている。なお、不揮発性メモリ３６を搭載した基板には、不揮発性メモリ３６の他、電源ＩＣや各種受動部品等が実装されていてもよい。
【００６５】
上記検査装置４０は、制御用マイコン４１を備えており、この制御用マイコン４１から表示検査のための検査制御信号を表示装置３０へ送信する。特に、検査装置４０は、ＲＧＢ端子３７を介して、検査プログラム３６ｂを実行するための検査コマンドを供給する。また、図７では図示しないが、表示検査の際、検査装置４０の電源２２から、表示装置３０の駆動用の電力を供給できる。
【００６６】
なお、表示装置３０の不揮発性メモリ３６に検査シーケンスおよび検査用パターンを含む検査プログラム３６ｂが格納されているため、検査装置３０は、従来のＭＰＵを含む信号源装置８０（図１０）のような複雑な回路を必要としない。
【００６７】
インターフェイス部３４は、８０系ＣＰＵに代表されるｎビット（ｎは、８、９、１６等）のＣＰＵバスインターフェイスとして構成されている。また、インターフェイス部３４はＲＧＢ端子３７に接続されている。そして、インターフェイス部３４は、ＲＧＢ端子３７を介して、通常表示の際、コマンドおよびパラメータを受信する一方、表示検査の際、検査装置４０から検査制御信号を受信する。なお、本明細書において、ＣＰＵバスインターフェイスをコマンドインターフェイスと記すことがある。
【００６８】
また、インターフェイス部３４は、ソースドライバ１２′のＲＡＭ（ｒａｎｄｏｍ−ａｃｃｅｓｓ  ｍｅｍｏｒｙ）１２ｃにＲＡＭデータ入力ポート１２ｂを介して接続されている。これにより、インターフェイス部３４は、ＲＧＢ端子３７からの入力信号、および、不揮発性メモリ１６から読み込んだデータに基づいて画像データをＲＡＭ１２ｃに書き込むことにより、列電極駆動部１２ｅおよびゲートドライバ１３を制御する。
【００６９】
そして、インターフェイス部３４は、ＲＧＢ端子３７から検査制御信号の入力を検知すると、検査制御信号に含まれる検査コマンドを検査コマンドリスト３６ａに従って特定し、対応する実行コードを読み込み実行する。すなわち、インターフェイス部３４は、必要な検査項目の検査プログラム３６ｂを１ステップずつ読み込む。例えば、検査コマンドが「検査モードＯＮ」であれば、表示モードを通常モードから検査モードへ切り替える。これにより、表示装置３０は、通常表示の通常モードと検査用パターンを表示する検査モードとの間で表示モードを切り替えることができる。
【００７０】
さらに、インターフェイス部３４は、表示検査の際、検査装置４０から検査コマンド「検査シーケンス進む」を受信すると、検査シーケンスを進め、表示パネル１１に検査用パターンを表示する。
【００７１】
なお、表示装置３０は、モデルの仕様に応じた通常モード、例えば低消費電力化のために色数を減らした表示モード等を、追加して備えていてもよい。
【００７２】
また、表示装置３０は、表示装置１０のテスト端子１８を備えたコントロール部１２ａの代わりに、ＣＰＵバスインターフェイスであるインターフェイス部３４を設けた構成であるため、テスト端子１８（図１）を設ける必要がない。よって、表示装置３０は、外形や端子数などの制約により、テスト制御ピンを設けることができない場合に好適である。
【００７３】
上記不揮発性メモリ３６は、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ＲＯＭ）で構成できる。不揮発性メモリ３６には、表示装置３０の表示検査の手順を示す検査シーケンスと、表示検査で表示する画像情報を示す検査用パターンとが、検査プログラム３６ｂとして格納されている。また、不揮発性メモリ３６には、検査プログラム３６ｂの実行を検査装置４０から制御するために、検査装置４０から入力される検査コマンドがその実行コードとともに登録された検査コマンドリスト３６ａが格納されている。なお、不揮発性メモリ３６には、検査コマンドリスト３６ａおよび検査プログラム３６ｂに加えて、例えば通常モードでの設定値等の表示パネル１１を駆動するためのデータを、他のデータ３６ｃとして格納することができる。なお、他のデータ３６ｃの内容およびデータ量は、表示装置３０の機種ごとに異なる。
【００７４】
図８は、検査コマンドリスト３６ａの一例である。図８中、「ＴＥＳＴ  ＩＮ（Ｆ０）」、「ＴＥＳＴ  ＯＵＴ（Ｆ１）」、「ＴＥＳＴ  ＩＮＣ（Ｆ２）」、「ＴＥＳＴ  ＤＥＣ（Ｆ３）」が検査プログラム３６ｂであり、残りはユーザコマンドである。なお、図８では、各検査コマンドに対応する実行コードは省略されている。また、ユーザコマンドについては後述する。
【００７５】
インターフェイス部３４は、ＲＧＢ端子３７から検査コマンドの入力を検知すると、制御信号に含まれる検査コマンド（Ｆ０〜Ｆ３）を検査コマンドリスト３６ａに従って特定し、その内容に応じた動作を行う。
【００７６】
図２は、検査プログラム３６ｂの一例である。図２に示すように、この検査プログラム３６ｂは、８つのステップで構成されている。そして、この検査プログラム３６ｂは、ＲＧＢ端子３７から入力される検査コマンドに応じて、アドレスを１から８までインクリメントすることにより実行される。なお、コマンドの構成については、実施の形態１で説明したとおりである。
【００７７】
つづいて、表示検査時の動作について説明する。
【００７８】
表示装置３０の表示検査は、インターフェイス部３４が、ＲＧＢ端子３７を介して入力された検査装置４０からの検査コマンド「ＴＥＳＴ  ＩＮ（Ｆ０）」を受信することにより開始される。この時、検査プログラム３６ｂが不揮発性メモリ３６からインターフェイス部３４に読み込まれる。逆に、インターフェイス部３４は、検査コマンド「ＴＥＳＴ  ＯＵＴ（Ｆ１）」を受信すると検査シーケンスを中止する。
【００７９】
そして、インターフェイス部３４は、検査コマンド「ＴＥＳＴ  ＩＮＣ（Ｆ２）」を受信するごとに、検査プログラム３６ｂのアドレスをインクリメントして、ソースドライバ１２′へ供給する信号を変更する。すなわち、検査コマンド「ＴＥＳＴ  ＩＮＣ（Ｆ２）」に応じて、不揮発性メモリ１６に格納されている検査プログラム１６ａを読み込むアドレスをインクリメントして、検査シーケンスを進める。同様に、インターフェイス部３４は、検査コマンド「ＴＥＳＴ  ＤＥＣ（Ｆ３）」を受信するごとに、検査プログラム３６ｂのアドレスをデクリメントして、検査シーケンスを戻す。
【００８０】
このように、表示装置３０では、検査コマンド「ＴＥＳＴ  ＩＮＣ（Ｆ２）」とともに検査コマンド「ＴＥＳＴ  ＤＥＣ（Ｆ３）」を処理できるため、「次の画面に移る」や「前の画面に戻る」といった検査シーケンスをやり直す機能を、表示検査において実現できる。
【００８１】
図３は、図２に示した検査プログラム３６ｂによる処理動作を示すフローチャートである。インターフェイス部３４は、ステップごとにコマンドを発行して、ソースドライバ１２′およびゲートドライバ１３を制御することにより、表示検査の処理を行う。なお、各ステップの動作については、実施の形態１で説明したとおりである。
【００８２】
ここで、表示装置３０の検査モードには、「全体表示モード」と「パーシャル表示モード」がある。なお、「全体表示モード」および「パーシャル表示モード」、ならびに、検査用パターンの構造については、実施の形態１において図４から図６を用いて説明したとおりである。
【００８３】
このように、表示装置３０は、不揮発性メモリ３６に検査シーケンスと検査用パターンの画像情報とを含む検査プログラム３６ｂを内蔵するため、モデル数の多いモジュールで必要だった大掛かりな多数の検査装置４０の準備や、複雑な数多くの検査プログラムが不要となる。
【００８４】
また、表示装置３０は、検査用パターンの画像情報として、最小単位（１×１、あるいは、２×２等）の画像情報を保存しておき、それを縦・横に繰り返し表示するため、不揮発性メモリ３６の容量を小さくすることができる。
【００８５】
なお、以上では、不揮発性メモリ３６に１つの検査プログラム３６ｂを格納する場合について説明したが、複数の検査プログラムを格納し、外部から実行する検査プログラムを指定することも可能である。具体的には、ＣＰＵバスインターフェイスであるインターフェイス部３４はコマンド体系を有するため、コマンドを追加すればよい。これによって、各種の表示検査が必要となる生産工程においても、複数の検査プログラムを切り替えて、複数の検査シーケンスを使い分けることが可能となる。
【００８６】
また、表示装置３０では、表示検査で使用する検査コマンドを、ユーザ（Ａ社，Ｂ社，Ｃ社）が使用するユーザコマンドと別に設けることができる（図８）。この場合、インターフェイス部３４は、ユーザコマンドと検査コマンドを識別して、ソースドライバ１２やゲートドライバ１３を制御を切り替えることができる。なお、ユーザコマンド領域は他のデータ３６ｃに含まれる。そして、検査コマンドを格納する位置（Ｆ０〜Ｆ３）をモデル間で共通にすることにより、検査装置４０をモデル間で共通化できる。
【００８７】
以上のように、表示装置１０，３０は、不揮発性メモリ１６に、表示検査の検査シーケンスおよび検査用パターンを含む検査プログラム１６ａ，３６ｂを格納している。よって、検査装置２０，４０は、表示検査のための表示信号を表示装置１０，３０に供給する必要がないため、従来のＭＰＵを含む信号源装置８０（図１０）のように複雑な回路を必要としない。また、表示装置１０，３０のモデルが変わっても、信号源装置８０のように記憶装置の書き換えが発生しないため、検査装置２０，４０を共通に使用できる。
【００８８】
なお、表示パネル１１には、反射型、透過型、半透過型、ＳＴＮ（ｓｕｐｅｒ  ｔｗｉｓｔｅｄ  ｎｅｍａｔｉｃ）等の各種の液晶表示パネルのほか、有機ＥＬ（ｅｌｅｃｔｒｏ−ｌｕｍｉｎｅｓｃｅｎｔ）、ＴＦＤ（ｔｈｉｎ  ｆｉｌｍ  ｄｉｏｄｅ：薄膜ダイオード）、ＬＰＳ（ｌｏｗ  ｔｅｍｐｅｒａｔｕｒｅ  ｐｏｌｙ  ｓｉｌｉｃｏｎ：低温ポリシリコン）等を用いた表示装置が適用可能である。
【００８９】
また、不揮発性メモリ１６，３６は、検査シーケンスや検査パターンを格納しており、表示装置１０，３０に搭載されて、それらをコントロール部１２ａまたはインターフェイス部３４に供給できる記録媒体である。不揮発性メモリ１６，３６としては、ＥＥＰＲＯＭが好適であるが、不揮発性であれば他の記録媒体を利用することも可能である。例えば、ＥＥＰＲＯＭより書き込みが早く、書き込み制限の無い不揮発性メモリでもよい。また、保持電源を備えたＲＡＭでもよい。さらに、ＳＲＡＭ（ｓｔａｔｉｃ  ＲＡＭ）にＥＥＰＲＯＭを搭載したもののように、ＲＡＭとＥＥＰＲＯＭを一体化したものであってもよい。この場合、ＲＡＭ１２ｃと不揮発性メモリ１６とを一体にすることができる。
【００９０】
また、表示装置１０，３０では、通常モードで入力する映像信号をＲＧＢ信号として説明したが、他の方式の信号でもよい。この場合、ＲＧＢ端子３７の代わりに、映像信号に応じた端子を設ければよい。
【００９１】
また、表示装置３０では、ソースドライバ１２′とインターフェイス部３４とを別個のブロックとして説明したが、一体の回路としても実現可能である。
【００９２】
また、上記の各実施の形態は本発明の範囲を限定するものではなく、本発明の範囲内で種々の変更が可能であり、例えば、以下のように構成することができる。
【００９３】
本発明の表示装置は、コマンドインターフェイスモジュールの表示装置であって、コマンドインターフェイス用の入力信号とは別のテスト用入力制御端子と、テスト用の入力パターンおよび検査シーケンスを格納するための不揮発性メモリと、を備えて構成されていてもよい。これにより、テスト用入力制御端子のみを介して、検査用パターンと表示装置の表示モードを自動で変えることができる。
【００９４】
本発明の表示装置は、コマンドインターフェイスモジュールの表示装置であって、検査のためのコマンドが別に用意されており、また、テスト用の入力パターンおよび検査シーケンスを格納するための不揮発性メモリを備えて構成されていてもよい。これにより、簡単な検査コマンドを用いて、検査用パターンと表示装置の表示モードを自動で変えることができる。
【００９５】
本発明の表示装置駆動回路は、表示装置の検査用パターンや検査シーケンスが書き込まれた不揮発性メモリを、外部入力信号により、それらを読み込むテスト機能を備えていてもよい。
【００９６】
本発明の表示装置駆動回路は、表示装置の検査用パターンや検査シーケンスが書き込まれた不揮発性メモリを、外部からの検査コマンドにより、それらを読み込むテスト機能を備えていてもよい。
【００９７】
本発明の表示装置駆動回路は、上記不揮発性メモリに、検査用パターンの最小単位の画像情報が保存してあり、それらのデータを縦・横繰り返して表示することで検査用パターンを作成し、検査するものであってもよい。
【００９８】
本発明の表示装置駆動回路は、上記不揮発性メモリに、検査用パターンの最小単位の画像情報が保存してあり、それらのデータを縦・横繰り返して表示する処理を行うものであってもよい。
【００９９】
【発明の効果】
以上のように、本発明の表示装置は、表示手段と、該表示手段を駆動する駆動手段とを備えた表示装置であって、表示検査の手順を示す検査シーケンスおよび表示検査で表示する検査用パターンを格納した不揮発性記憶手段と、外部から入力された検査制御信号に基づき、上記不揮発性記憶手段から検査シーケンスおよび検査用パターンを読み出し、検査シーケンスに従って検査用パターンを上記表示手段に表示するように、上記駆動手段を制御するインターフェイス手段と、を具備する構成である。
【０１００】
それゆえ、表示装置に内蔵した検査シーケンスおよび検査用パターンを用いて表示検査を行うことが可能となる。よって、従来のように、検査シーケンスおよび検査用パターンを検査装置に内蔵する必要がない。
【０１０１】
したがって、モデル数の多い表示装置を表示検査する場合であっても、モデルごとに検査装置と、モデルに合わせた検査シーケンスおよび検査用パターンの複雑なデータとを準備し、それぞれデータを検査装置に格納するという煩雑で大掛かりな作業が不要となるという効果を奏する。すなわち、表示検査のための準備作業を大幅に削減することが可能となるという効果を奏する。
【０１０２】
さらに、本発明の表示装置は、上記検査制御信号として、通常の入力信号端子とは別にテスト用信号（例えば、パルス信号）を受信するテスト端子を備えるとともに、上記インターフェイス手段が、上記パルス信号に応じて、上記検査シーケンスを進行させる構成も考えられる。
【０１０３】
それゆえ、さらに、検査装置は、検査シーケンスおよび検査用パターンを格納するための記憶装置が必要でなく、パルス信号を出力する端子のみを備えていればよいため、簡単な構造で実現できるという効果を奏する。すなわち、表示検査に複雑な検査装置を必要としないという効果を奏する。
【０１０４】
さらに、本発明の表示装置は、上記不揮発性記憶手段が、検査コマンドと実行コードとが対応づけられた検査コマンドリストをさらに格納するとともに、上記インターフェイス手段が、上記検査制御信号に含まれる検査コマンドに対応する実行を上記検査コマンドリストに基づき特定し、当該実行コードに従って、上記検査シーケンスを進行させるものである。
【０１０５】
また、本発明の検査装置は、上記の表示装置に、上記検査コマンドを含む検査制御信号を入力するものである。
【０１０６】
それゆえ、さらに、検査装置は、検査シーケンスおよび検査用パターンを格納するための記憶装置が必要でなく、検査コマンドを含む検査制御信号を出力する機能を備えていればよいため、簡単な構造で実現できるという効果を奏する。すなわち、表示検査に複雑な検査装置を必要としないという効果を奏する。
【０１０７】
また、本発明の記録媒体は、上記表示装置に搭載された不揮発性記憶手段である。それゆえ、上記表示装置を実現することが可能となる。
【図面の簡単な説明】
【図１】本発明の一実施の形態に係る表示装置の構成の概略を示すブロック図である。
【図２】図１および図７に示した表示装置の検査プログラムの一例を示す説明図である。
【図３】図２に示した検査プログラムによる表示装置の処理動作を示すフローチャートである。
【図４】図１および図７に示した表示装置の表示検査で表示される表示パターンの説明図であり、図４（ａ）および図４（ｂ）は全体表示モードの例を示し、図４（ｃ）はパーシャル表示モードの例を示す。
【図５】図２に示した検査プログラムにおける検査用パターンのコマンドの記述例を示す説明図である。
【図６】図１および図７に示した表示装置の表示検査における表示パターンの表示方法を示す説明図である。
【図７】本発明の他の実施の形態に係る表示装置の構成の概略を示すブロック図である。
【図８】図７に示した表示装置の検査コマンドリストの一例を示す説明図である。
【図９】図１および図７に示した表示装置が備える不揮発性メモリでのユーザコマンドおよび検査コマンドの格納位置を示す説明図である。
【図１０】従来の技術に係る液晶表示装置の構成の概略を示すブロック図である。
【符号の説明】
１０    表示装置
１１    表示パネル（表示手段）
１２ａ  コントロール部（インターフェイス手段）
１２ｂ  ＲＡＭデータ入力ポート（インターフェイス手段）
１２ｃ  ＲＡＭ（インターフェイス手段）
１２ｄ  ＲＡＭデータ出力ポート（インターフェイス手段）
１２ｅ  列電極駆動部（駆動手段）
１３    ゲートドライバ（駆動手段）
１６    不揮発性メモリ（不揮発性記憶手段）
１６ａ  検査プログラム（検査シーケンス，検査用パターン）
１８    テスト端子
２０    検査装置
３０    表示装置
３４    インターフェイス部（インターフェイス手段）
３６ａ  検査コマンドリスト
３６ｂ  検査プログラム（検査シーケンス，検査用パターン）
４０    検査装置
【図１】
2004219585.tif 000003
【図２】
2004219585.tif 000004
【図３】
2004219585.tif 000005
【図４】
2004219585.tif 000006
【図５】
2004219585.tif 000007
【図６】
2004219585.tif 000008
【図７】
2004219585.tif 000009
【図８】
2004219585.tif 000010
【図９】
2004219585.tif 000011
【図１０】
2004219585.tif 000012